(57)【要約】【課題】  アレイアンテナ装置のアレイ部を構成するサブアレイが可搬式・非可搬式に関わらず、設置が容易なアレイアンテナ装置とその設置方法を提供すること。【解決手段】  サブアレイの基端側を架台に対向させ、前記サブアレイの基端に形成された第１の嵌合ピンを、サブアレイ支持台に形成された第１の嵌合溝に差し込む又は前記サブアレイ支持台に形成された第１の押し当て面に押し当てる第１のサブアレイ起立準備工程と、前記サブアレイの先端へ前記架台の先端側を越えてワイヤを掛ける第２のサブアレイ起立準備工程と、前記ワイヤを牽引し、前記サブアレイ支持台の第１の嵌合溝に差し込まれた前記第１の嵌合ピン又は前記サブアレイ支持台の第１の押し当て面に押し当てられた前記第１の嵌合ピンを支点にして前記サブアレイが回動し、前記サブアレイが起立させるサブアレイ起立工程とを備えたことを特徴とする。【選択図】        図５
2010130442.tif 000002
【特許請求の範囲】
【請求項１】
複数のサブアレイを横列に並べたアレイアンテナ装置において、前記サブアレイの放射面の裏側に対向して配置され、前記サブアレイを固定する架台と、前記サブアレイの下部に形成された第１の嵌合ピンと、この第１の嵌合ピンに対して前記架台寄りの前記サブアレイの下部に形成された第２の嵌合ピンと、この第２の嵌合ピンが差し込まれる第２の嵌合溝の開口が前記サブアレイの下部に対向する位置に開けられ、前記第１の嵌合ピンが差し込まれる第１の嵌合溝が前記第２の嵌合溝よりも前記サブアレイの放射面側に形成されたサブアレイ支持台とを備え、前記サブアレイと前記架台との固定を解除し、前記サブアレイ支持台の第１の嵌合溝に差し込まれた前記第１の嵌合ピンを支点にして前記サブアレイが回動可能であるアレイアンテナ装置。
【請求項２】
複数のサブアレイを横列に並べたアレイアンテナ装置において、前記サブアレイの放射面の裏側に対向して配置され、前記サブアレイを固定する架台と、前記サブアレイの下部に形成された第１の嵌合ピンと、この第１の嵌合ピンに対して前記架台寄りの前記サブアレイの下部に形成された第２の嵌合ピンと、この第２の嵌合ピンが差し込まれる第２の嵌合溝の開口が前記サブアレイの下部に対向する位置に開けられ、前記第１の嵌合ピンが差し込まれる第１の嵌合溝の開口が前記サブアレイの放射面と同じ方向又は前記サブアレイの下部に対向する方向に開けられたサブアレイ支持台とを備え、前記サブアレイと前記架台との固定を解除し、前記サブアレイ支持台の第１の嵌合溝に差し込まれた前記第１の嵌合ピンを支点にして前記サブアレイが回動可能であるアレイアンテナ装置。
【請求項３】
複数のサブアレイを横列に並べたアレイアンテナ装置において、前記サブアレイの放射面の裏側に対向して配置され、前記サブアレイを固定する架台と、前記サブアレイの下部に形成された第１の嵌合ピンと、この第１の嵌合ピンに対して前記架台寄りの前記サブアレイの下部に形成された第２の嵌合ピンと、この第２の嵌合ピンが差し込まれる第２の嵌合溝の開口が前記サブアレイの下部に対向する位置に開けられ、前記第１の嵌合ピンが押し当てられる第１の押し当て面が前記第２の嵌合溝よりも前記サブアレイの放射面側に形成されたサブアレイ支持台とを備え、前記サブアレイと前記架台との固定を解除し、前記サブアレイ支持台の第１の押し当て面に押し当てられた前記第１の嵌合ピンを支点にして前記サブアレイが回動可能であるアレイアンテナ装置。
【請求項４】
複数のサブアレイを横列に並べたアレイアンテナ装置において、前記サブアレイの放射面の裏側に対向して配置され、前記サブアレイを固定する架台と、前記サブアレイの下部に形成された第１の嵌合ピンと、この第１の嵌合ピンに対して前記架台寄りの前記サブアレイの下部に形成された第２の嵌合ピンと、この第２の嵌合ピンが押し当てられる第２の押し当て面が前記サブアレイの下部に対向する位置に形成され、前記第１の嵌合ピンが押し当てられる第１の押し当て面が前記第２の嵌合溝よりも前記サブアレイの放射面側に形成されたサブアレイ支持台とを備え、前記サブアレイと前記架台との固定を解除し、前記サブアレイ支持台の第１の押し当て面に押し当てられた前記第１の嵌合ピンを支点にして前記サブアレイが回動可能であるアレイアンテナ装置。
【請求項５】
前記架台は、前記サブアレイを固定する固定具を有する請求項１〜４のいずれかに記載のアレイアンテナ装置。
【請求項６】
前記固定具は、前記サブアレイと前記架台との間に配置されたスペーサの内部を貫通し、前記サブアレイと前記架台とを固定する請求項５に記載のアレイアンテナ装置。
【請求項７】
前記サブアレイと前記架台との距離は、前記第１の嵌合ピン及び前記第２の嵌合ピンが前記サブアレイ支持台上でスライドして変更される請求項１〜６のいずれかに記載のアレイアンテナ装置。
【請求項８】
前記第１の嵌合ピンは、前記サブアレイの下部に設けられた突起部の側面に形成されて前記サブアレイの内方又は外方に延在、或いは、前記サブアレイの下部の側面に形成されて前記サブアレイの外方に延在する棒状ピンであり、前記サブアレイが、前記棒状ピンを介し、前記サブアレイ支持台に支持される請求項１〜７のいずれかに記載のアレイアンテナ装置。
【請求項９】
横倒し状態のサブアレイを起立させるアレイアンテナ装置の設置方法であって、前記サブアレイの固定用の架台を設置する架台設置工程と、前記サブアレイを支持するサブアレイ支持台を前記架台の基端側に設置するサブアレイ支持台設置工程と、前記サブアレイの基端側を前記架台に対向させ、前記サブアレイの基端に形成された第１の嵌合ピンを、前記サブアレイ支持台に形成された第１の嵌合溝に差し込む又は前記サブアレイ支持台に形成された第１の押し当て面に押し当てる第１のサブアレイ起立準備工程と、前記サブアレイの先端へ前記架台の先端側を越えてワイヤを掛ける第２のサブアレイ起立準備工程と、前記ワイヤを牽引し、前記サブアレイ支持台の第１の嵌合溝に差し込まれた前記第１の嵌合ピン又は前記サブアレイ支持台の第１の押し当て面に押し当てられた前記第１の嵌合ピンを支点にして前記サブアレイが回動し、前記サブアレイが起立させるサブアレイ起立工程と、このサブアレイ起立工程で起立し、前記架台と対向する前記サブアレイを前記架台に固定するサブアレイ固定工程とを備えたアレイアンテナ装置の設置方法。
【請求項１０】
前記第１のサブアレイ起立準備工程は、前記サブアレイの基端側を前記架台に対向させ、前記サブアレイの基端に設けられた突起部の側面に形成されて前記サブアレイの内方又は外方に延在、或いは、前記サブアレイの下部の側面に形成されて前記サブアレイの外方に延在する棒状ピンである前記第１の嵌合ピンを、前記サブアレイ支持台に形成された第１の嵌合溝に差し込む又は前記サブアレイ支持台に形成された第１の押し当て面に押し当てる工程である請求項９に記載のアレイアンテナ装置の設置方法。
【発明の詳細な説明】
【技術分野】
【０００１】
この発明は、アンテナ素子が複数実装されたサブアレイを複数並べて構成される大型のフェイズドアレイアンテナ装置とその設置方法に関するものである。
【背景技術】
【０００２】
従来、サブアレイを複数並べて構成されるアレイアンテナ装置には、アンテナモジュールやアンテナ支持フレームから構成されるサブアレイと床フレームとを電動ジャッキで連結し、サブアレイを折り畳み可能とし、アンテナとして使用する際には電動ジャッキで立ち上げる構造がある（例えば、特許文献１参照）。
【０００３】
【特許文献１】特開２００４−７２２０８号公報（第１図〜第６図）
【発明の開示】
【発明が解決しようとする課題】
【０００４】
しかし、アンテナ装置（サブアレイ）を車両などで可搬する場合は、サブアレイ以外にも床フレームや電動ジャッキも車両に搭載する必要があるので、床フレームや電動ジャッキにより車両に搭載するサブアレイの大きさ・質量等に関して制約を受けてしまう可能性があるという課題があった。また、サブアレイが車両に搭載することが出来ないような規模の場合は適用することが困難で、アレイ部全体をアレイアンテナ装置が設置される場所に建屋を建築して、据え付けてシステムを構成する「固定式」を採用せざるを得ないという課題もあった。さらに、この場合は他の場所での運用要求があったとき、同一のシステム全体を新たに建築する必要があり、据え付けにも時間がかかる為、システムの操用性・コストの面で制約が多いという課題もあった。
【０００５】
この発明は、上記のような課題を解消するためになされたもので、アレイアンテナ装置のアレイ部を構成するサブアレイが可搬式・非可搬式に関わらず、設置が容易なアレイアンテナ装置とその設置方法を提供することを目的とする。
【課題を解決するための手段】
【０００６】
請求項１の発明に係るアレイアンテナ装置は、複数のサブアレイを横列に並べたアレイアンテナ装置において、前記サブアレイの放射面の裏側に対向して配置され、前記サブアレイを固定する架台と、前記サブアレイの下部に形成された第１の嵌合ピンと、この第１の嵌合ピンに対して前記架台寄りの前記サブアレイの下部に形成された第２の嵌合ピンと、この第２の嵌合ピンが差し込まれる第２の嵌合溝の開口が前記サブアレイの下部に対向する位置に開けられ、前記第１の嵌合ピンが差し込まれる第１の嵌合溝が前記第２の嵌合溝よりも前記サブアレイの放射面側に形成されたサブアレイ支持台とを備え、前記サブアレイと前記架台との固定を解除し、前記サブアレイ支持台の第１の嵌合溝に差し込まれた前記第１の嵌合ピンを支点にして前記サブアレイが回動可能であることを特徴とするものである。
【０００７】
請求項２の発明に係るアレイアンテナ装置は、複数のサブアレイを横列に並べたアレイアンテナ装置において、前記サブアレイの放射面の裏側に対向して配置され、前記サブアレイを固定する架台と、前記サブアレイの下部に形成された第１の嵌合ピンと、この第１の嵌合ピンに対して前記架台寄りの前記サブアレイの下部に形成された第２の嵌合ピンと、この第２の嵌合ピンが差し込まれる第２の嵌合溝の開口が前記サブアレイの下部に対向する位置に開けられ、前記第１の嵌合ピンが差し込まれる第１の嵌合溝の開口が前記サブアレイの放射面と同じ方向又は前記サブアレイの下部に対向する方向に開けられたサブアレイ支持台とを備え、前記サブアレイと前記架台との固定を解除し、前記サブアレイ支持台の第１の嵌合溝に差し込まれた前記第１の嵌合ピンを支点にして前記サブアレイが回動可能であることを特徴とするものである。
【０００８】
請求項３の発明に係るアレイアンテナ装置は、複数のサブアレイを横列に並べたアレイアンテナ装置において、前記サブアレイの放射面の裏側に対向して配置され、前記サブアレイを固定する架台と、前記サブアレイの下部に形成された第１の嵌合ピンと、この第１の嵌合ピンに対して前記架台寄りの前記サブアレイの下部に形成された第２の嵌合ピンと、この第２の嵌合ピンが差し込まれる第２の嵌合溝の開口が前記サブアレイの下部に対向する位置に開けられ、前記第１の嵌合ピンが押し当てられる第１の押し当て面が前記第２の嵌合溝よりも前記サブアレイの放射面側に形成されたサブアレイ支持台とを備え、前記サブアレイと前記架台との固定を解除し、前記サブアレイ支持台の第１の押し当て面に押し当てられた前記第１の嵌合ピンを支点にして前記サブアレイが回動可能であることを特徴とするものである。
【０００９】
請求項４の発明に係るアレイアンテナ装置は、複数のサブアレイを横列に並べたアレイアンテナ装置において、前記サブアレイの放射面の裏側に対向して配置され、前記サブアレイを固定する架台と、前記サブアレイの下部に形成された第１の嵌合ピンと、この第１の嵌合ピンに対して前記架台寄りの前記サブアレイの下部に形成された第２の嵌合ピンと、この第２の嵌合ピンが押し当てられる第２の押し当て面が前記サブアレイの下部に対向する位置に形成され、前記第１の嵌合ピンが押し当てられる第１の押し当て面が前記第２の嵌合溝よりも前記サブアレイの放射面側に形成されたサブアレイ支持台とを備え、前記サブアレイと前記架台との固定を解除し、前記サブアレイ支持台の第１の押し当て面に押し当てられた前記第１の嵌合ピンを支点にして前記サブアレイが回動可能であることを特徴とするものである。
【００１０】
請求項５の発明に係るアレイアンテナ装置は、前記架台が、前記サブアレイを固定する固定具を有する請求項１〜４のいずれかに記載のものである。
【００１１】
請求項６の発明に係るアレイアンテナ装置は、前記固定具が、前記サブアレイと前記架台との間に配置されたスペーサの内部を貫通し、前記サブアレイと前記架台とを固定する請求項５に記載のものである。
【００１２】
請求項７の発明に係るアレイアンテナ装置は、前記サブアレイと前記架台との距離が、前記第１の嵌合ピン及び前記第２の嵌合ピンが前記サブアレイ支持台上でスライドして変更される請求項１〜６のいずれかに記載のものである。
【００１３】
請求項８の発明に係るアレイアンテナ装置は、前記第１の嵌合ピンが、前記サブアレイの下部に設けられた突起部の側面に形成されて前記サブアレイの内方又は外方に延在、或いは、前記サブアレイの下部の側面に形成されて前記サブアレイの外方に延在する棒状ピンであり、前記サブアレイが、前記棒状ピンを介し、前記サブアレイ支持台に支持される請求項１〜７のいずれかに記載のものである。
【００１４】
請求項９の発明に係るアレイアンテナ装置の設置方法は、横倒し状態のサブアレイを起立させるアレイアンテナ装置の設置方法であって、前記サブアレイの固定用の架台を設置する架台設置工程と、前記サブアレイを支持するサブアレイ支持台を前記架台の基端側に設置するサブアレイ支持台設置工程と、前記サブアレイの基端側を前記架台に対向させ、前記サブアレイの基端に形成された第１の嵌合ピンを、前記サブアレイ支持台に形成された第１の嵌合溝に差し込む又は前記サブアレイ支持台に形成された第１の押し当て面に押し当てる第１のサブアレイ起立準備工程と、前記サブアレイの先端へ前記架台の先端側を越えてワイヤを掛ける第２のサブアレイ起立準備工程と、前記ワイヤを牽引し、前記サブアレイ支持台の第１の嵌合溝に差し込まれた前記第１の嵌合ピン又は前記サブアレイ支持台の第１の押し当て面に押し当てられた前記第１の嵌合ピンを支点にして前記サブアレイが回動し、前記サブアレイが起立させるサブアレイ起立工程と、このサブアレイ起立工程で起立し、前記架台と対向する前記サブアレイを前記架台に固定するサブアレイ固定工程とを備えたことを特徴とするものである。
【００１５】
請求項１０の発明に係るアレイアンテナ装置の設置方法は、前記第１のサブアレイ起立準備工程が、前記サブアレイの基端側を前記架台に対向させ、前記サブアレイの基端に設けられた突起部の側面に形成されて前記サブアレイの内方又は外方に延在、或いは、前記サブアレイの下部の側面に形成されて前記サブアレイの外方に延在する棒状ピンである前記第１の嵌合ピンを、前記サブアレイ支持台に形成された第１の嵌合溝に差し込む又は前記サブアレイ支持台に形成された第１の押し当て面に押し当てる工程である請求項９に記載のものである。
【発明の効果】
【００１６】
以上のように、請求項１〜８に係る発明によれば、サブアレイに形成された嵌合ピンとサブアレイ支持台とにより、サブアレイと架台との固定を解除することで、サブアレイが回動可能であるアレイアンテナ装置を得ることができる。
【００１７】
請求項９及び１０に係る発明によれば、サブアレイに形成された嵌合ピンとサブアレイ支持台とにより、サブアレイをワイヤで牽引することで、サブアレイを容易に起立させることが可能なアレイアンテナ装置の設置方法を得ることができる。
【発明を実施するための最良の形態】
【００１８】
実施の形態１．
以下、この発明の実施の形態１について図１〜１１を用いて説明する。図１は実施の形態１に係るアレイアンテナ装置の構成図、図１（ａ）はアレイアンテナ装置の正面図、図１（ｂ）はアレイアンテナ装置の側面図、図２は実施の形態１に係るアレイアンテナ装置のサブアレイを搭載する車両及び門型台車の構成図、図２（ａ）はサブアレイを搭載する門型台車の正面図、図２（ｂ）はサブアレイを搭載する車両の側面図、図３は実施の形態１に係るアレイアンテナ装置のサブアレイを搭載する車両及び門型台車の構成図、図３（ａ）はサブアレイを搭載する車両及び門型台車の正面図、図３（ｂ）はサブアレイを搭載する車両及び門型台車の側面図、図４〜図６は実施の形態１に係るアレイアンテナ装置の設置工程図（断面図）、図７は実施の形態１に係るアレイアンテナ装置のサブアレイとサブアレイ支持台の構成図、図８は実施の形態１に係るアレイアンテナ装置のサブアレイの構成図、図８（ａ）（ｃ）（ｄ）は、サブアレイの正面図、図８（ｂ）は、図８（ａ）の矢印方向からサブアレイを見た図、図９は実施の形態１に係るアレイアンテナ装置のサブアレイ支持台の構成図、図９（ａ）はサブアレイ支持台の側面図、図９（ｂ）はサブアレイ支持台の正面図、図１０、１１は実施の形態１に係るアレイアンテナ装置の設置工程図（サブアレイ支持台付近の拡大図）である。図１０（ａ）〜（ｆ）と図１１（ａ）〜（ｅ）はそれぞれサブアレイが起立する過程を順次示している図である。なお、サブアレイの正面図においては、簡略化のために、後述する第１の嵌合ピンだけを図示し、第１の第２の嵌合ピンは省略している。これは、他の実施の形態でも同様である。
【００１９】
図１〜１１において、１はアレイアンテナ装置のアレイ部、２はアンテナモジュールやアンテナ支持フレームから構成されるサブアレイであり、アレイアンテナ装置は複数のサブアレイ２を横列に並べたアレイ部１から構成される。２ａはサブアレイ２の下部に設けられた突起部である。以下、サブアレイ２の上部や下部と記載があった場合は、特に指定が無い場合は、図１のようにサブアレイ２が起立した場合の上部・下部を指す。３はサブアレイ２の放射面の裏側に対向して配置され、サブアレイ２を固定する待ち受け架台（以下、単に架台と称する）、４はサブアレイ２（アンテナ支持フレーム）の下部に形成された第１の嵌合ピン、５は第１の嵌合ピン４に対して架台３寄りのサブアレイ２（アンテナ支持フレーム）の下部に形成された第２の嵌合ピン、６は第１の嵌合ピン４が差し込まれる第１の嵌合溝であり、第１の嵌合ピン４が押し当てられている面を第１の押し当て面６ａとする。７は開口がサブアレイ２（アンテナ支持フレーム）の下部に対向する位置に開けられ、第２の嵌合ピン５が差し込まれる第２の嵌合溝であり、第２の嵌合ピン５が押し当てられている面を第２の押し当て面７ａとする。なお、サブアレイ２と架台３との固定状態により、第１の嵌合ピン４と第２の嵌合ピン５とが、それぞれの押し当て面である第１の押し当て面６ａと第２の押し当て面７ａとに押し当てられている状態から脱する場合があるが、サブアレイ２と架台３との固定を解除することにより、押し当てられている状態が回復する。８は第１の嵌合溝６が第２の嵌合溝７よりもサブアレイ２の放射面側に形成されたサブアレイ支持台である。サブアレイ支持台８と架台２とは一体であってもよい。図中、同一符号は、同一又は相当部分を示しそれらについての詳細な説明は省略する。
【００２０】
引き続き、図１〜１１において、９はサブアレイを運搬する車両、１０はサブアレイ２を車両９から持ち上げ、サブアレイ支持台９の設置位置まで運搬する門型台車、１１はサブアレイ２を架台２に設置する際に使用する電動ウィンチ、１２は門型台車１０に設置されたリフトバー、１３は門型台車１０を走行させるレール、１４は門型台車１０に設置され、例えば、図４において、矢印方向の前後にスライドする前後方向スライド機構、１５は第１の嵌合溝６に嵌合された第１の嵌合ピン４の脱落を防止する第１の抜け止めピン、１６は第２の嵌合溝７に嵌合された第２の嵌合ピン５の脱落を防止する第２の抜け止めピン、１７はサブアレイ２を牽引する電動ウィンチ１１に使用されるワイヤ、１８はサブアレイ２に設けられたワイヤ１７の一端を固定するワイヤ係止部であり、ワイヤ１７の他端は電動ウィンチ１１に固定される。１９は架台３に形成された滑車であり、サブアレイ２のワイヤ係止部１８へ架台３の先端側を越えてワイヤ１７を掛けるためのものである。２０はスペーサであり、サブアレイ２と架台３との間に配置され、サブアレイ２と架台３とを固定する螺子などの固定具が内部を貫通している。２１はアレイアンテナ装置が設置される土台である。図中、同一符号は、同一又は相当部分を示しそれらについての詳細な説明は省略する。
【００２１】
図１〜１１に示す通り、アレイ部１は同じ構造を有するサブアレイ２に分割され、それぞれを車両９に搭載して展開場所まで運搬し、門型台車１０及び電動ウィンチ１１を用いて、架台３に設置することによって、アレイアンテナ装置を１つのフェイズドアレイアンテナとして運用する。まず、構造を説明してから、詳細な展開手順を示す（撤収時は以下の逆手順）。図１に記載されたアレイアンテナ装置は、複数のサブアレイ２が、その放射面の裏側に対向して配置された架台３に固定されている。サブアレイ２の下部には第１の嵌合ピン４と、第１の嵌合ピン４に対して架台３寄りのサブアレイ２の下部に第２の嵌合ピン５とが形成されており、サブアレイ２を支持するサブアレイ支持台８には、第１の嵌合ピン４と第２の嵌合ピン５とのピン受けが設けられており、第１の嵌合ピン４，第２の嵌合ピン５，ピン受けにより、サブアレイ２はサブアレイ支持台８に支持される。なお、サブアレイ２の自重によりサブアレイ支持台８に掛かっている負荷をサブアレイ２が固定される架台３により軽減させてもよい。第１の嵌合ピン４と第２の嵌合ピン５とを完全にピン受けに固定してもよいが、ある程度、第１の嵌合ピン４と第２の嵌合ピン５とがピン受け上（サブアレイ支持台８上）で前後左右に動く摺動可能（スライド可能）な状態を実現する「遊び」があれば、サブアレイ２と架台３（スペーサ２０或いはボルトなどの固定具）との位置合わせの調整の幅が大きくなり、「遊び」とスペーサ２０或いは固定具の寸法とを適宜選択することにより、サブアレイ２と架台３との距離の変更や位置ずれの修正が容易で、複数のサブアレイ２を横列に並べても、それぞれの放射面の位置合わせが容易であり、フェイズドアレイアンテナとしての機能を高いレベルで維持できるアレイアンテナ装置を得ることができる。また、サブアレイ２ごとに放射面の位置を調整できるので、設置後のメンテナンス性にも優れたアレイアンテナ装置を得ることもできる。
【００２２】
サブアレイ支持台８のピン受けは、図１、３〜７、９などに図示されているように、開口がサブアレイ２の放射面側に開けられ、第１の嵌合ピン４が差し込まれる第１の嵌合溝６と、開口がサブアレイ２の下部に対向する位置に開けられ、第２の嵌合ピン５が差し込まれる第２の嵌合溝７とで構成されている。第１の嵌合溝は、前記第２の嵌合溝よりもサブアレイ２の放射面側に形成されている。第１の嵌合ピン４と第１の嵌合溝６との嵌合、第２の嵌合ピン５と第２の嵌合溝７との嵌合は、サブアレイ２と架台３との固定状態により、単に接触しているだけの状態もあり得るが、その場合も嵌合に含める。同様に、第１の嵌合溝６のうち、第１の嵌合ピン４（第２の嵌合ピン５）と接触している面である第１の押し当て面６ａ（第１の押し当て面７ａ）にも第１の嵌合ピン４（第２の嵌合ピン５）が押し当たっている状態も、サブアレイ２と架台３との固定状態により、単に接触しているだけの状態もあり得るが、その場合も押し当たっている状態に含める。さらに、架台３によりサブアレイ２が完全に固定され、第１の嵌合ピン４と第２の嵌合ピン５との少なくとも一方がサブアレイ支持台８から離間している場合でも、サブアレイ２と架台３との固定状態を解除したときに、第１の嵌合ピン４と第２の嵌合ピン５とがサブアレイ支持台８に接触すれば、本願でいうところの「嵌合」「押し当て」という状態の範疇であるとする。これは、本願発明がサブアレイ２と架台３との固定を解除し、サブアレイ支持台８の第１の嵌合溝６に差し込まれた第１の嵌合ピン４を支点にしてサブアレイ２が回動可能であることを特徴とするからである。
【００２３】
第１の嵌合ピン４は、図１〜７、図８（ａ）（ｂ）などに図示されているように、サブアレイ２の下部の左右に設けられた突起部２ａの側面に形成されてサブアレイ２の内方に延在する棒状ピンであるので、サブアレイ２と架台３との固定を解除することにより、第１の嵌合ピン４を支点にしてサブアレイ２が回動可能である。なお、第１の嵌合ピン４を支点にしてサブアレイ２が回動可能であれば、第１の嵌合ピン４の全体が棒状である必要はない。一方、第２の嵌合ピン５は、本願発明の図面上において、第１の嵌合ピン４との同じような棒状ピンを示しているが、第２の嵌合ピン５は、サブアレイ２の固定補助や位置決めのために設けられているものなので棒状に限られたものではなく、第２の嵌合ピン５と第２の溝７とができるものであれば、第２の嵌合溝７にダボ穴のような穴や窪みを採用して、その穴・窪みに、サブアレイ２の下部から下方にサブアレイ支持台へ向かって延伸したダボ状の第２の嵌合ピン５を差し込むような形状のものを選択してもよい。この場合は、第２の嵌合ピン５と第１の嵌合ピン４との延伸する方向は、実際は、ねじれの位置であるが、二次元に投影して見ると、直交若しくはそれに近い角度で交わっているようになる。
【００２４】
実施の形態１では、図７及び図８（ａ）（ｂ）に図示されているように、第１の嵌合ピン４がサブアレイ２の下部の左右に設けられた突起部２ａの側面に形成されてサブアレイ２の内方に延在しているのものを説明しているが、図８（ｃ）に示すように、第１の嵌合ピン４がサブアレイ２の下部の左右に設けられた突起部２ａの側面に形成されてサブアレイ２の外方に延在する棒状ピンや、図８（ｄ）に示すように、突起部２ａをサブアレイ２に設けずに、第１の嵌合ピン４がサブアレイ２の下部の左右からサブアレイ２の外方に延在する棒状ピンを採用してもよい。しかし、図７（ａ）及び図８（ａ）から分かるように、第１の嵌合ピン４がサブアレイ２の内方に延在している方が、サブアレイ２間の隙間を最小限に抑えられる可能性が高い。なお、採用する第１の嵌合ピン４により、サブアレイ支持台８の配置位置や個数が変わる。また、採用する第１の嵌合ピン４により、第２の嵌合ピン５の配置も変わることはいうまでもない。
【００２５】
次に、アレイアンテナ装置を設置するために使用する車両９と門型台車１０に関して説明する。なお、本実施の形態１では、アレイアンテナ装置の設置に車両９と門型台車１０とを使用するが、サブアレイ２を架台３及びサブアレイ支持台８近傍の所定の位置に配置できる方法であれば、アレイアンテナ装置の設置に車両９と門型台車１０を必ずしも使用する必要はない。図２（ｂ）に示す車両９は、荷台にサブアレイ２が放射面を下にして横倒し状態で搭載されている。サブアレイ２は、車両９の前方（運転席側）にワイヤ係止部１８側を、車両９の後方に第１の嵌合ピン４及び第２の嵌合ピン５側を向けて配置されている。図２（ａ）に記載の門型台車１０は、最終的にサブアレイ２が配置されて完成するアレイ部１（図１など）の前方でアレイ部１に対してほぼ平行に設けられたレール１３を使って移動するものである。また、図３及び４に示すように、門型台車１０は、中央に車両９が荷台を預けられる機構とリフトバー１２とが準備されており、リフトバー１２を利用して、車両９の荷台からサブアレイ２を持ち上げて、その間に車両９が門型台車１０を離れることにより、門型台車１０の荷台部分（リフトバー１２部分）にサブアレイ２を搭載することができるものである。
【００２６】
続いて、アレイアンテナ装置の設置方法、具体的にはサブアレイ２の起立方法（展開方法）に関して説明する。まず、サブアレイ２の固定用の架台３を土台２１に設置する（架台設置工程）。次に、サブアレイ２を支持するためのサブアレイ支持台８を架台３の基端側に設置する（サブアレイ支持台設置工程）。そして、サブアレイ２を搭載した車両９を後ろから門型台車１０に入れ、門型台車１０の左右に設置されたリフトバー１２をサブアレイ２下部（放射面側）に挿入し、リフター機能を用いてサブアレイ２を車両９から持ち上げる。持ち上げた後、車両９を門型台車１０から出す。その後、図４に示すように、門型台車１０を電動等でレール１３上を走行させ、設置位置まで移動させる（サブアレイ配置工程）。なお、「架台設置工程」及び「サブアレイ支持台設置工程」と「サブアレイ配置工程」とは、作業が前後してもよいし、同時進行でもよい。
【００２７】
リフトバー１２により高さを調整した後、門型台車１０の前後方向スライド機構１４を用いて、サブアレイ２の基端側を架台３に対向させ、図４及び図１０（a）〜（ｃ）に示すように、サブアレイ２の基端に形成された第１の嵌合ピン４をサブアレイ支持台８の第１の嵌合溝６に差し込んで嵌合させる（図１０（ｂ））。言い換えると、第１の嵌合ピン４をサブアレイ支持台８に形成された第１の押し当て面６ａに押し当てるともいえる。そして、第１の抜け止めピン１５をサブアレイ支持台８に挿入して（図１０（ｃ））、第１の嵌合ピン４が抜けないようにする（第１のサブアレイ起立準備工程）。第１の抜け止めピン１５と後述の第２の抜け止めピン１６とは、図１１に示すように、サブアレイ２が起立してからサブアレイ支持台８に挿入してよい。
【００２８】
架台３の先端側に形成された滑車１９を介して架台３の先端側を越えてワイヤをサブアレイ２の先端へ掛ける。具体的には、電動ウィンチ１１から滑車１９を経由してサブアレイ２にシャックル等を用いてワイヤ１２をサブアレイ２のワイヤ係止部１８に掛ける（第２のサブアレイ起立準備工程）。そして、図５及び図１０（ｄ）に示すように、電動ウィンチ１１を巻き上げることによって、ワイヤ１７を牽引し、サブアレイ支持台８の第１の嵌合溝６に差し込まれた第１の嵌合ピン４、言い換えると、サブアレイ支持台８の第１の押し当て面６ａに押し当てられた第１の嵌合ピン４を支点にしてサブアレイ２が回動し、サブアレイ２が起立させる（サブアレイ起立工程）。電動ウィンチ１１よる牽引は、第２の嵌合ピン５がサブアレイ支持台８の第２の嵌合溝７に差し込まれた、言い換えると、第２の嵌合ピン５がサブアレイ支持台８の第２の押し当て面７ａに押し当てられて、サブアレイ２が回動できなくなる状態まで行う（図１０（ｅ））。そして、第２の抜け止めピン１６をサブアレイ支持台８に挿入して（図１０（ｆ））、第２の嵌合ピン５が抜けないようにする。図１０と図１１とは、第１の抜け止めピン１５のサブアレイ支持台８への挿入するタイミングが異なる以外は、基本的に同じ動作（工程）を示している。
【００２９】
図６に示すように、サブアレイ起立工程で起立し、架台３と対向するサブアレイ２を架台３にボルトなどの固定具で固定する（サブアレイ固定工程）。なお、サブアレイ２のワイヤ係止部１８、架台３の滑車１９及び滑車設置部には大きな荷重が作用する為、ブロック等を溶接するなどして強度を確保した構造である。以上の工程をアレイ部１に必要なサブアレイ２の枚数だけ行えば、全てのサブアレイ２を展開することができ、アレイアンテナ装置を設置することが可能となる。また、サブアレイ２の展開方法は、各工程をサブアレイ２ごとに順次行っても、複数のサブアレイを同時進行で行ってもよいが、車両９や門型台車１０の台数を多く準備できない場合は、第１のサブアレイ起立準備工程までの工程をサブアレイ２ごとに行い、第１のサブアレイ起立準備工程以降の工程を同時に行うことが効率的である。
【００３０】
このように、実施の形態１に係るアンテナ装置及びその設置方法により、任意な場所でのアレイアンテナ装置のシステムの運用が可能となり、既存の大型固定式フェイズドアレイアンテナ停止時及び整備時の代替システムとしての運用を実現し、システムの低コスト化が実現できる。また、アレイ部１を大型トラックに搭載可能なサイズ・質量となるような各サブアレイ２に分割すれば、特殊車両でなくても容易に運搬することができ、展開場所まで運搬した後、門型台車１０及び電動ウィンチ１１を用いて架台３に据え付けて１つのフェイズドアレイアンテナとして運用するので、操用性も大きく改善される。撤収は展開時と逆手順にて行えばよい。
【００３１】
実施の形態２．
以下、この発明の実施の形態２について図１２を用いて説明する。図１２は実施の形態２に係るアレイアンテナ装置のサブアレイの構成図、図８（ａ）〜（ｅ）は、サブアレイの正面図である。図１２において、２ｂはサブアレイ２の下部の左右にサブアレイ２の側端部よりも内側に設けられた突起部、２ｃはサブアレイ２の下部にサブアレイ２の側端部よりも内側に設けられた突起部、２ｄはサブアレイ２の下部にサブアレイ２の側端部よりも内側に設けられた突起部２ｃよりも幅広の突起部である。図中、同一符号は、同一又は相当部分を示しそれらについての詳細な説明は省略する。実施の形態１では、図８に示すような、配置・形状である第１の嵌合ピン４や「突起部」を説明したが、実施の形態２では、実施の形態１と異なる配置・形状である第１の嵌合ピン４や「突起部」を説明する。なお、図１２おいては、サブアレイ２とその付属部分（「第１の嵌合ピン」や「突起部」）のみを示しているが、実施の形態１に係る発明に適宜適用できるものである。
【００３２】
図１２（ａ）に示すサブアレイ２は、第１の嵌合ピン４が図８（ａ）と図８（ｃ）とに示すサブアレイ２を組み合わせた形状となっており、具体的には、第１の嵌合ピン４が、サブアレイの下部に設けられた突起部２ａの側面に形成されてサブアレイ２の内方及び外方に延在する棒状ピンとなっている。このように、突起部２ａの両面に第１の嵌合ピン４を設けることにより、図８（ａ）と図８（ｃ）とに示すサブアレイ２よりも、１本の第１の嵌合ピン４に掛かる負荷を軽減することができる。
【００３３】
図１２（ｂ）に示すサブアレイ２は、第１の嵌合ピン４が図８（ｃ）に示すサブアレイ２と同じ方向を向いた同様の形状である。つまり、第１の嵌合ピン４が、サブアレイ２の下部に設けられた「突起部」の側面に形成されてサブアレイ２の外方に延在する棒状ピンである。しかし、図１２（ｂ）に示すサブアレイ２の突起部２ｂの配置が図８（ｃ）に示すサブアレイ２の突起部２ａとは異なっている。突起部２ｂは、それぞれサブアレイ２の下部の左右にサブアレイ２の両側の側端部よりも内側に設けられているので、図１２（ｂ）のように、第１の嵌合ピン４の長さを適宜選択することにより、第１の嵌合ピン４が、サブアレイ２の下部に設けられた突起部２ｂの側面に形成されてサブアレイ２の外方に延在する棒状ピンであっても、複数のサブアレイ２を横列に並べても、隣り合うサブアレイ２の第１の嵌合ピン４を接触させることなく、図８（ｃ）に示すサブアレイ２に比べ、図１２（ｂ）に示すサブアレイ２を密に並べることが可能となる。
【００３４】
図１２（ｃ）に示すサブアレイ２は、「突起部」には突起部２ｂを採用し、第１の嵌合ピン４が図８（ａ）と図１２（ｂ）とに示すサブアレイ２を組み合わせた形状となっており、具体的には、第１の嵌合ピン４が、サブアレイ２の下部に設けられた突起部２ｂの側面に形成されてサブアレイ２の内方及び外方に延在する棒状ピンとなっている。このように、突起部２ａの両面に第１の嵌合ピン４を設けることにより、図１２（ａ）に示すサブアレイ２と同様に、図８（ａ）と図８（ｃ）とに示すサブアレイ２よりも、１本の第１の嵌合ピン４に掛かる負荷を軽減することができる。さらに、図１２（ｂ）に示すサブアレイ２と同様に、図１２（ｃ）のように、第１の嵌合ピン４の長さを適宜選択することにより、第１の嵌合ピン４が、サブアレイ２の下部に設けられた突起部２ｂの側面に形成されてサブアレイ２の外方に延在する棒状ピンであっても、複数のサブアレイ２を横列に並べても、隣り合うサブアレイ２の第１の嵌合ピン４を接触させることなく、図８（ｃ）に示すサブアレイ２に比べ、図１２（ｃ）に示すサブアレイ２を密に並べることが可能となる。
【００３５】
図１２（ｄ）に示すサブアレイ２は、「突起部」には突起部２ｃを採用している。具体的には、第１の嵌合ピン４が、サブアレイ２の下部に設けられた突起部２ｃの側面に形成されてサブアレイ２の外方に延在する棒状ピンとなっている。突起部２ｃは、サブアレイ２の下部の中央付近に１つ設けられているので、突起部２ｃの両面に第１の嵌合ピン４を設けることにより、図１２（ｂ）及び図１２（ｃ）に示すサブアレイ２と同様に、図１２（ｄ）のように、第１の嵌合ピン４の長さを適宜選択することにより、第１の嵌合ピン４が、サブアレイ２の下部に設けられた突起部２ｃの側面に形成されてサブアレイ２の外方に延在する棒状ピンであっても、複数のサブアレイ２を横列に並べても、隣り合うサブアレイ２の第１の嵌合ピン４を接触させることなく、図８（ｃ）に示すサブアレイ２に比べ、図１２（ｄ）に示すサブアレイ２を密に並べることが可能となる。但し、図１２に示すサブアレイ２には突起部２ｃが１つしか設けられていないので、サブアレイ２の自重による付加が、１つの突起部２ｃに掛かるので、他の突起部２ａや突起部２ｂよりも強度を確保した構造が必要である。もちろん、第１の嵌合ピン４の強度もあわせて上げてもよいし、第１の嵌合ピン４の強度だけを上げてもよい。
【００３６】
図１２（ｅ）に示すサブアレイ２は、突起部２ｄが形成されている。突起部２ｄは、図１２（ｄ）に示すサブアレイ２の突起部２ｃを幅広にした形状をしている。言い換えると、図１２（ｂ）に示すサブアレイ２の２つの突起部２ｂが対向してできたサブアレイ２下部の切り欠き状部分をなくした形状ともいえる。また、第１の嵌合ピン４は、サブアレイの下部に設けられた突起部２ｄの両側面に形成されてサブアレイ２の外方に延在する棒状ピンとなっている。このような構造となっているので、図１２（ｂ），図１２（ｃ），図１２（ｄ）に示すサブアレイ２と同様に、図１２（ｅ）のように、第１の嵌合ピン４の長さを適宜選択することにより、第１の嵌合ピン４が、サブアレイ２の下部に設けられた突起部２ｄの両側面に形成されてサブアレイ２の外方に延在する棒状ピンであっても、複数のサブアレイ２を横列に並べても、隣り合うサブアレイ２の第１の嵌合ピン４を接触させることなく、図８（ｃ）に示すサブアレイ２に比べ、図１２（ｅ）に示すサブアレイ２を密に並べることが可能となる。さらに、突起部２ｄが幅広であるために強度が、他の「突起部」よりも高いという効果も有する。なお、突起部２ｄをサブアレイ２の一部としてもよい。この場合は、図８（ｄ）に記載のサブアレイ２において、第１の嵌合ピン４が設けられた箇所を切り欠いた形状或いは引っ込めた形状であるともいえる。
【００３７】
突起部２ｄをサブアレイ２の一部としてもよいとしたが、実施の形態１及び２に係る他の「突起部」である突起部２ａ〜２ｃも同様に、サブアレイ２の一部としてもよい。さらに、突起部２ａ〜２ｄと図８（ｄ）に記載のサブアレイ２において、第１の嵌合ピン４が設けられた箇所とまとめて、第１の嵌合ピン４形成部としてもよい。なお、第２の嵌合ピン５は、実施の形態１でも説明したが、本願発明の図面上において、第１の嵌合ピン４との同じような棒状ピンを示しているが、第２の嵌合ピン５は、サブアレイ２の固定補助や位置決めのために設けられているものなので棒状に限られたものではなく、第２の嵌合ピン５と第２の溝７とができるものであれば、第２の嵌合溝７にダボ穴のような穴や窪みを採用して、その穴・窪みに、サブアレイ２の下部から下方にサブアレイ支持台へ向かって延伸したダボ状の第２の嵌合ピン５を差し込むような形状のものを選択してもよい。この場合は、第２の嵌合ピン５と第１の嵌合ピン４との延伸する方向は、実際は、ねじれの位置であるが、二次元に投影して見ると、直交若しくはそれに近い角度で交わっているようになる。
【００３８】
実施の形態３．
以下、この発明の実施の形態３について図１３〜１６を用いて説明する。図１３は、実施の形態３に係るアレイアンテナ装置のサブアレイ支持台の構成図、図１３（ａ）はサブアレイ支持台の側面図、図１３（ｂ）は図１３（ａ）に示すサブアレイ支持台の正面図、図１３（ｃ）はサブアレイ支持台の側面図、図１３（ｄ）は図１３（ｃ）に示すサブアレイ支持台の正面図、図１４は、実施の形態３に係るアレイアンテナ装置のサブアレイ支持台の構成図、図１４（ａ）はサブアレイ支持台の側面図、図１４（ｂ）は図１４（ａ）に示すサブアレイ支持台の正面図、図１４（ｃ）はサブアレイ支持台の側面図、図１４（ｄ）は図１４（ｃ）に示すサブアレイ支持台の正面図、図１５は、実施の形態３に係るアレイアンテナ装置のサブアレイ支持台の構成図、図１５（ａ）はサブアレイ支持台の側面図、図１５（ｂ）は図１５（ａ）に示すサブアレイ支持台の正面図、図１５（ｃ）はサブアレイ支持台の側面図、図１５（ｄ）は図１５（ｃ）に示すサブアレイ支持台の正面図、図１６は、実施の形態３に係るアレイアンテナ装置のサブアレイ支持台の構成図、図１６（ａ）はサブアレイ支持台の側面図、図１６（ｂ）は図１６（ａ）に示すサブアレイ支持台の正面図、図１６（ｃ）はサブアレイ支持台の側面図、図１６（ｄ）は図１６（ｃ）に示すサブアレイ支持台の正面図である。また、図１３（ａ）（ｂ）は図９（ａ）（ｂ）と同等の内容であり、形状の比較を容易にするために再掲している。なお、図１３〜１６においては、サブアレイ支持台のみを示しているが、実施の形態１及び２に係る発明に適宜適用できるものである。
【００３９】
図１３及び１４において、２２は開口がサブアレイ２（アンテナ支持フレーム）の下部に対向する位置に開けられ、第１の嵌合ピン４が差し込まれる第１の嵌合溝であり、第１の嵌合ピン４が押し当てられている面を第１の押し当て面２２ａとする。２３は第１の嵌合ピン４が差し込まれる第１の嵌合溝であり、第１の嵌合ピン４が押し当てられている面を第１の押し当て面２３ａとし、第１の嵌合溝２３の開口付近より第１の押し当て面２３ａ付近が広がっているものである。２４は開口がサブアレイ２（アンテナ支持フレーム）の下部に対向する位置に開けられ、第２の嵌合ピン５が差し込まれる第２の嵌合溝であり、第２の嵌合ピン５が押し当てられている面を第２の押し当て面７ａとし、第２の嵌合溝２４の開口付近より第２の押し当て面２４ａ付近が広がっているものである。２５は開口がサブアレイ２（アンテナ支持フレーム）の下部に対向する位置に開けられ、第１の嵌合ピン４が差し込まれる第１の嵌合溝であり、第１の嵌合ピン４が押し当てられている面を第１の押し当て面２５ａとし、第１の嵌合溝２５の開口付近より第１の押し当て面２５ａ付近が広がっているものである。図１３及び１４に記載された矢印は、実施の形態１で説明した「サブアレイ配置工程」又は「第１のサブアレイ起立準備工程」における第１の嵌合ピン４の進行方法である。図中、同一符号は、同一又は相当部分を示しそれらについての詳細な説明は省略する。
【００４０】
図１５及び１６において、２６は第１の嵌合ピン４が押し当てられる第１の押し当て面であり、第１の嵌合溝６におけるサブアレイ２側の壁面が取り除かれた構造といえる。２７は第１の嵌合ピン４が押し当てられる第１の押し当て面であり、第１の嵌合溝２２におけるサブアレイ２の放射面側の壁面が取り除かれた構造といえる。２８は第１の嵌合ピン４が押し当てられる第１の押し当て面であり、第１の嵌合溝６におけるサブアレイ２側の壁面が取り除かれた構造といえ、第１の押し当て面２６よりも第１の嵌合ピン４が押し当てられる面が掘り込まれている。。２７は第１の嵌合ピン４が押し当てられる第１の押し当て面であり、第１の嵌合溝２２におけるサブアレイ２の放射面側の壁面が取り除かれた構造といえ、第１の押し当て面２７よりも第１の嵌合ピン４が押し当てられる面が掘り込まれている。６は第１の嵌合ピン４が差し込まれる第１の嵌合溝であり、第１の嵌合ピン４が押し当てられている面を第１の押し当て面６ａとする。図中、同一符号は、同一又は相当部分を示しそれらについての詳細な説明は省略する。
【００４１】
図１３〜１６に示されるサブアレイ支持台８において、サブアレイ２と架台３との固定状態により、第１の嵌合ピン４と第２の嵌合ピン５とが、それぞれの押し当て面である第１の押し当て面と第２の押し当て面とに押し当てられている状態から脱する場合があるが、サブアレイ２と架台３との固定を解除することにより、押し当てられている状態が回復することは、実施の形態１及び２と同様である。実施の形態２では、実施の形態１と異なる配置・形状である第１の嵌合ピン４や「突起部」を説明したが、実施の形態３では、実施の形態１及び２と異なるサブアレイ支持台８に関して説明する。
【００４２】
図１３（ｃ）（ｄ）に示すサブアレイ支持台８は、第１の嵌合溝２２が、最終的に設置されるアレイアンテナ装置のサブアレイ２の下部に対向する位置に開口がある。実施の形態１で説明した「サブアレイ配置工程」と「第１のサブアレイ起立準備工程」とをそのまま適用すると、サブアレイ２がサブアレイ支持台８のピン受けに入れらない（差し込めない・嵌合できない・押し当てられない）。具体的には、第１の嵌合ピン４がサブアレイ支持部８に衝突してしまう。そこで、「サブアレイ配置工程」と「第１のサブアレイ起立準備工程」とのいずれかにおいて、実施の形態１に係るアレイアンテナ装置の設置方法よりも、サブアレイ２を高い位置に配置してから、図１３の矢印のように、第１の嵌合ピン４を第１の嵌合溝２２に進入させる。このようにすることより、サブアレイ支持台８の構造を簡便なものとすることができる上に、第１の抜け止めピン１５なしでもサブアレイを回動させることができる可能性を広げられる。
【００４３】
図１４（ａ）〜（ｄ）に示すサブアレイ支持台８は、図１３（ａ）〜（ｄ）に示すサブアレイ支持台８にそれぞれ対応し、「第１の嵌合溝」及び「第２の嵌合溝」の形状が異なることが特徴である。図１４（ａ）〜（ｄ）に示すサブアレイ支持台８の「第１の嵌合溝」及び「第２の嵌合溝」の形状は、開口付近より「第１の押し当て面」及び「第２の押し当て面」付近が広がっているものである。したがって、それぞれに第１の嵌合ピン４と第２の嵌合ピン５を差し込んだ後でも、第１の嵌合ピン４と第２の嵌合ピン５とが遊ぶ空間がより確保されており、実施の形態１及び２と比較して、サブアレイ２と架台３（スペーサ２０或いはボルトなどの固定具）との位置合わせの調整の幅がさらに大きくなり、「遊び」とスペーサ２０或いは固定具の寸法とを適宜選択することにより、サブアレイ２と架台３との距離の変更や位置ずれの修正が容易で、複数のサブアレイ２を横列に並べても、それぞれの放射面の位置合わせが容易であり、フェイズドアレイアンテナとしての機能を高いレベルで維持できるアレイアンテナ装置を得ることができる。また、サブアレイ２ごとに放射面の位置を調整できるので、設置後のメンテナンス性にも優れたアレイアンテナ装置を得ることもできる。
【００４４】
図１５（ａ）〜（ｄ）及び図１６（ａ）〜（ｄ）に示すサブアレイ支持台８は、図１３（ａ）〜（ｄ）及び図１４（ａ）〜（ｄ）に示すサブアレイ支持台８にそれぞれ対応し、「第１の嵌合溝」及び「第２の嵌合溝」の形状が異なることが特徴である。図１５（ａ）〜（ｄ）及び図１６（ａ）〜（ｄ）に示すサブアレイ支持台８の「第１の嵌合溝」及び「第２の嵌合溝」の形状は、図１３（ａ）〜（ｄ）及び図１４（ａ）〜（ｄ）に示すサブアレイ支持台８の「第１の嵌合溝」の「第２の嵌合溝」に対して反対側のサブアレイ支持台８が切り欠かれており、「第１の嵌合溝」が「第１の押し当て面」となっていることである。このような構造にしたことで、図１５（ａ）〜（ｄ）及び図１６（ａ）〜（ｄ）に示すサブアレイ支持台８は、図１３（ａ）〜（ｄ）及び図１４（ａ）〜（ｄ）に示すサブアレイ支持台８の説明した効果の他に、前述の「サブアレイ配置工程」又は「第１のサブアレイ起立準備工程」において、サブアレイ２とサブアレイ支持台８との位置合わせが容易となる。そのために、サブアレイ配置工程」又は「第１のサブアレイ起立準備工程」の進捗が早まり、アレイアンテナ装置を設置する際の時間を短縮することが可能となる効果を奏する。
【００４５】
以上、実施の形態１〜３において説明したアレイアンテナ装置及びその設置方法（サブアレイの起立方法）に係る説明や構成要素は、適宜組み合わせて実施することが可能である。そのため、したアレイアンテナ装置の設置方法に関する説明は、実施の形態１のみとする。
【図面の簡単な説明】
【００４６】
【図１】この発明の実施の形態１に係るアレイアンテナ装置の構成図である。
【図２】この発明の実施の形態１に係るアレイアンテナ装置のサブアレイを搭載する車両及び門型台車の構成図である。
【図３】この発明の実施の形態１に係るアレイアンテナ装置のサブアレイを搭載する車両及び門型台車の構成図である。
【図４】この発明の実施の形態１に係るアレイアンテナ装置の設置工程図である。
【図５】この発明の実施の形態１に係るアレイアンテナ装置の設置工程図である。
【図６】この発明の実施の形態１に係るアレイアンテナ装置の設置工程図である。
【図７】この発明の実施の形態１に係るアレイアンテナ装置のサブアレイとサブアレイ支持台の構成図である。
【図８】この発明の実施の形態１に係るアレイアンテナ装置のサブアレイの構成図である。
【図９】この発明の実施の形態１に係るアレイアンテナ装置のサブアレイ支持台の構成図である。
【図１０】この発明の実施の形態１に係るアレイアンテナ装置の設置工程図（サブアレイ支持台付近の拡大図）である。
【図１１】この発明の実施の形態１に係るアレイアンテナ装置の設置工程図（サブアレイ支持台付近の拡大図）である。
【図１２】この発明の実施の形態２に係るアレイアンテナ装置のサブアレイの構成図である。
【図１３】この発明の実施の形態３に係るアレイアンテナ装置のサブアレイ支持台の構成図である。
【図１４】この発明の実施の形態３に係るアレイアンテナ装置のサブアレイ支持台の構成図である。
【図１５】この発明の実施の形態３に係るアレイアンテナ装置のサブアレイ支持台の構成図である。
【図１６】この発明の実施の形態３に係るアレイアンテナ装置のサブアレイ支持台の構成図である。
【符号の説明】
【００４７】
１・・アレイ部、２・・サブアレイ、２ａ・・突起部、２ｂ・・突起部、
２ｃ・・突起部、２ｄ・・突起部、３・・待ち受け架台、４・・第１の嵌合ピン、
５・・第２の嵌合ピン、６・・第１の嵌合溝、６ａ・・第１の押し当て面、
７・・第２の嵌合溝、７ａ・・第２の押し当て面、８・・サブアレイ支持台、
９・・車両、１０・・門型台車、１１・・電動ウィンチ、１２・・リフトバー、
１３・・レール、１４・・前後方向スライド機構、１５・・第１の抜け止めピン、
１６・・第２の抜け止めピン、１７・・ワイヤ、１８・・ワイヤ係止部、１９・・滑車、
２０・・スペーサ、２１・・土台、２２・・第１の嵌合溝、
２２ａ・・第１の押し当て面、２３・・第１の嵌合溝、２３ａ・・第１の押し当て面、
２４・・第２の嵌合溝、２４ａ・・第２の押し当て面、２５・・第１の嵌合溝、
２５ａ・・第１の押し当て面、２６・・第１の押し当て面、２７・・第１の押し当て面、
２８・・第１の押し当て面、２９・・第１の押し当て面。
【図１】
2010130442.tif 000003
【図２】
2010130442.tif 000004
【図３】
2010130442.tif 000005
【図４】
2010130442.tif 000006
【図５】
2010130442.tif 000007
【図６】
2010130442.tif 000008
【図７】
2010130442.tif 000009
【図８】
2010130442.tif 000010
【図９】
2010130442.tif 000011
【図１０】
2010130442.tif 000012
【図１１】
2010130442.tif 000013
【図１２】
2010130442.tif 000014
【図１３】
2010130442.tif 000015
【図１４】
2010130442.tif 000016
【図１５】
2010130442.tif 000017
【図１６】
2010130442.tif 000018